(57)【要約】【課題】磁気テープの走行速度がどんなに高速となっても、テープ位置規制ガイドローラも同じく高速で回転することができるようにして、テープエッジダメージの生じない磁気テープ巻取りが行われる磁気テープ巻取り装置を提供する。【解決手段】ハブと、カセットケース保持手段と、該ハブに巻かれた磁気テープを取り出して前記カセットケース保持手段まで磁気テープを案内する複数のガイドローラと、前記カセットケース保持手段で保持されたカセットケース内のリールの入口で磁気テープの位置を規制するテープ位置規制ガイドローラと、を備えた磁気テープ巻取り装置において、前記テープ位置規制ガイドローラを回転駆動する駆動装置を前記テープ位置規制ガイドローラに設け、かつ、テープ位置規制ガイドローラの周速が磁気テープの走行速度に等しくなるようにテープ位置規制ガイドローラを回転駆動させるようにした。【選択図】図２
2007234163.tif 000002
【特許請求の範囲】
【請求項１】
ハブに巻かれた磁気テープを取り出してカセットケース内のリールに巻き取る際に、リールの入口でテープ位置を規制しているテープ位置規制ガイドローラの周速を前記磁気テープの走行速度に等しくなるように回転させることを特徴する磁気テープ巻取り方法。
【請求項２】
ハブと、カセットケース保持手段と、該ハブに巻かれた磁気テープを取り出して前記カセットケース保持手段まで磁気テープを案内する複数のガイドローラと、前記カセットケース保持手段で保持されたカセットケース内のリールの入口で磁気テープの位置を規制するテープ位置規制ガイドローラと、を備えた磁気テープ巻取り装置において、前記テープ位置規制ガイドローラを回転駆動する駆動装置を前記テープ位置規制ガイドローラに設けたことを特徴する磁気テープ巻取り装置。
【請求項３】
前記駆動装置は前記テープ位置規制ガイドローラの周速が前記磁気テープの走行速度に等しくなるように前記テープ位置規制ガイドローラを回転駆動させることを特徴する請求項１記載の磁気テープ巻取り装置。
【発明の詳細な説明】
【技術分野】
【０００１】
本発明は、磁気テープをカセットケース内に巻付ける磁気テープ巻取り方法および巻取り装置に関するものである。
【背景技術】
【０００２】
磁気テープ巻取り装置は、ハブに巻かれた送出し用の磁気テープ（原反）から磁気テープを取り出し、別位置にあるカセットケース保持手段に保持されたカセットケースの空リールにまで案内して磁気テープを空リールに巻付け、この巻付けがなされたカセットケースをカセットケース保持手段から搬出する装置であり、この装置自体は公知である（例えば、特許文献１参照）。
【特許文献１】特開平６−１６２７２４号公報
【０００３】
図４は従来の磁気テープ巻取り装置１００を説明する概念平面図である。
図において、磁気テープＭＴの端部は、磁気テープＭＴを長尺巻いたテープリール１１から検尺ローラ１２、ガイドローラ１３、テンション付与手段（図示せず）を経由して引き出され、テープ位置規制ガイドローラ１４’を介してカセット２０のリール２１に巻付けが行われる。
【０００４】
図５はテープ位置規制ガイドローラとリールの位置関係を説明する縦断面図である。従来のテープ位置規制ガイドローラ１４’はベアリングＢを内蔵したローラであって、このベアリング付ガイドローラ１４’に磁気テープＭＴをラップし、テープ走行時に磁気テープのガイドローラ１４’の表面間のグリップでガイドローラ１４’を回転させて、そのフランジでテープ位置規制をしていた。
ところが、この装置だと磁気テープ走行時に磁気テープの高速走行（例えば、１０ｍ／秒）にガイドローラ１４’の回転（例えば、４ｍ／秒）が追従できず、その結果、テープエッジとローラフランジ部で擦れが発生し、テープエッジダメージの原因となっていた。
【発明の開示】
【発明が解決しようとする課題】
【０００５】
本発明は、かかる課題を解決するためになされたもので、磁気テープ走行時に磁気テープが高速走行を行っても、ガイドローラの回転が磁気テープ走行に追従できて、したがってテープエッジダメージの生じない磁気テープ巻取り装置を提供することを目的としている。
【課題を解決するための手段】
【０００６】
上記課題を解決するため、請求項１記載の磁気テープ巻取り方法の発明は、ハブに巻かれた磁気テープを取り出してカセットケース内のリールに巻き取る際に、リールの入口でテープ位置を規制しているテープ位置規制ガイドローラの周速を前記磁気テープの走行速度に等しくなるように回転させることを特徴している。
請求項２記載の磁気テープ巻取り装置の発明は、ハブと、カセットケース保持手段と、該ハブに巻かれた磁気テープを取り出して前記カセットケース保持手段まで磁気テープを案内する複数のガイドローラと、前記カセットケース保持手段で保持されたカセットケース内のリールの入口で磁気テープの位置を規制するテープ位置規制ガイドローラと、を備えた磁気テープ巻取り装置において、前記テープ位置規制ガイドローラを回転駆動する駆動装置を前記テープ位置規制ガイドローラに設けたことを特徴している。
請求項３記載の発明は、請求項１記載の磁気テープ巻取り装置において、前記駆動装置が前記テープ位置規制ガイドローラの周速を前記磁気テープの走行速度に等しくなるように前記テープ位置規制ガイドローラを回転駆動させることを特徴している。
【発明の効果】
【０００７】
上記構成に示すように、本発明においては、テープ位置規制ガイドローラの周速が磁気テープの走行速度に等しくなるようにテープ位置規制ガイドローラを回転させるので、磁気テープが高速走行を行っても、ガイドローラの回転が磁気テープ走行に追従できて、したがってテープエッジダメージの生じない磁気テープ巻取り装置が得られる。
【発明を実施するための最良の形態】
【０００８】
図１は本発明に係る磁気テープ巻取り装置を説明する概念平面図である。
図において、１０は本発明に係る磁気テープ巻取り装置で、磁気テープＭＴの端部は、磁気テープＭＴを長尺巻いたテープリール１１から検尺ローラ１２、ガイドローラ１３、テンション付与手段（図示せず）を経由して引き出され、本発明に係るテープ位置規制ガイドローラ１４を介してカセット２０のリール２１に巻付けが行われる。
【０００９】
図２は本発明に係るテープ位置規制ガイドローラとリールの関係を説明する図である。図において、１４はテープ位置規制ガイドローラでその両端にフランジが設けられており、ガイドローラ１４に磁気テープＭＴをラップしてそのフランジによって、テープ走行時に磁気テープの位置規制をする。
１５はガイドローラ駆動装置（例えば、モータ直結、モータ・プーリ・ベルト、モータ・ギア結合等）で、テープ位置規制ガイドローラ１４のシャフトに結合されてテープ位置規制ガイドローラ１４を強制的に回転駆動する。
１６はリール２１の駆動装置（モータ）である。
１７は駆動装置１６の回転を検出するエンコーダである。
１８は駆動装置１６の回転駆動を制御するモータ制御装置である。
【００１０】
次に、モータ制御装置の動作について説明する。
リール２１を所定の回転数で駆動させたいとき、モータ制御装置１８はその所定の駆動信号を駆動装置１６に与えて駆動装置１６を回転駆動する。駆動装置１６が所定の回転数で回転しているかどうかをエンコーダ１７が検出し、モータ制御装置１８に送信する。モータ制御装置１８は現在の指令信号とエンコーダ１７からのフィードバック信号を比較し、次の指令信号を駆動装置１６に与える。このようにして、駆動装置１６は所定の回転数に維持されることができる。
【００１１】
本発明では、テープ位置規制ガイドローラ１４の周速を磁気テープＭＴの走行速度と同じにするために、ガイドローラモータ制御装置１５に与えるべき指令信号をモータ制御装置１８は自分が駆動装置１６に与えた指令信号を基準に演算して、その演算結果である指令信号をガイドローラ駆動装置１５に与えるようにしている。
このようにすることにより、ガイドローラ駆動装置１５はテープ位置規制ガイドローラ１４の周速を磁気テープＭＴの走行速度に等しくなるようにテープ位置規制ガイドローラ１４を回転駆動させることとなり、磁気テープＭＴの走行速度がどんなに高速となっても、テープ位置規制ガイドローラ１４も同じ速度で回転するので、ガイドローラの回転が磁気テープ走行に追従できて、したがってテープエッジダメージの生じない磁気テープ巻取りが行われる。
【００１２】
図３は本発明装置と従来装置によるシミュレーションの結果を示す図で、（ａ）は本発明装置、（ｂ）は従来装置の結果である。図において、左側の縦軸は走行速度（ｍ／ｓ）、右側の縦軸はテンションを正規化したもので、磁気テープの破断するテンションを１としている。
図から判るように、従来装置のガイドローラを用いると、定常状態で磁気テープの走行速度１０ｍ／ｓとガイドローラの周速４ｍ／ｓとに大きな開きができ、これが磁気テープの大きなテンションとなり、このテンションでテープエッジとローラフランジ部で擦れが発生し、テープエッジダメージの原因となる恐れが生じたのであるが、一方、本発明に係るガイドローラを用いると、定常状態で磁気テープの走行速度１０ｍ／ｓ、ガイドローラの周速も約１０ｍ／ｓとなり、したがってここを通過する磁気テープにはそんなにテンションがかからなくなり、したがってテンションでテープエッジとローラフランジ部で擦れが発生るつことがない。よって、テープエッジダメージの恐れもなくなる。
【００１３】
本発明によれば、テープ位置規制ガイドローラにテープ位置規制ガイドローラ駆動装置を設けたので、磁気テープの走行速度がどんなに高速となっても、テープ位置規制ガイドローラも同じく高速で回転することができ、ガイドローラの回転が磁気テープ走行に追従できるため、テープエッジダメージの生じない磁気テープ巻取りが行われるようになる。
【図面の簡単な説明】
【００１４】
【図１】本発明に係る磁気テープ巻取り装置を説明する概念平面図である。
【図２】本発明に係るテープ位置規制ガイドローラとリールの関係を説明する図である。
【図３】本発明装置と従来装置によるシミュレーションの結果を示す図で、（ａ）は本発明装置、（ｂ）は従来装置の結果である。
【図４】従来の磁気テープ巻取り装置１００を説明する概念平面図である。
【図５】従来のテープ位置規制ガイドローラとリールの位置関係を説明する縦断面図である。
【符号の説明】
【００１５】
１０  本発明にかかる磁気テープ巻取り装置
１１  テープリール
１２  検尺ローラ
１３  ガイドローラ
１４  テープ位置規制ガイドローラ
１５  ガイドローラ駆動装置
１６  リールの駆動装置
１７  駆動装置１６用のエンコーダ
１８  ２つの駆動装置を制御するモータ制御装置
ＭＴ  磁気テープ
【図１】
2007234163.tif 000003
【図２】
2007234163.tif 000004
【図３】
2007234163.tif 000005
【図４】
2007234163.tif 000006
【図５】
2007234163.tif 000007